(57)【要約】【課題】  省エネ化を図りながら、用紙を汚すことなく確実に印刷ドラムから剥離可能な印刷装置を提供する。【解決手段】  印刷ドラム１と印圧部材２３の間に形成される印刷領域１２３で用紙Ｐにインキ画像を転写する印刷装置において、印刷領域１２３よりも用紙搬送方向の下流側に印刷領域に気流を供給する送風ファン装置２７を配置し、この送風ファン装置２７の駆動時間を用紙サイズに応じて可変制御する。【選択図】  図１
2006198811.tif 000002
【特許請求の範囲】
【請求項１】
印刷ドラムと印圧部材の間に形成される印刷領域で用紙にインキ画像を転写する印刷装置において、
前記印刷領域よりも用紙搬送方向の下流側に配置され、同印刷領域に気流を供給する送風ファン装置と、
前記送風ファン装置の駆動時間を用紙サイズに応じて可変する制御手段とを有することを特長とする印刷装置。
【請求項２】
請求項１記載の印刷装置において、
前記送風ファン装置を用紙幅方向に配列し、
前記制御手段は、各送風ファン装置の駆動、休止を用紙サイズに応じて制御することを特徴とする印刷装置。
【請求項３】
請求項２記載の印刷装置において、
前記制御手段は、前記用紙サイズが所定サイズよりも大きい場合には各送風ファン装置を長く駆動し、所定サイズよりも小さい場合には送風ファン装置を短く駆動することを特徴とする印刷装置。
【請求項４】
請求項１記載の印刷装置において、
前記送風ファン装置を用紙幅方向に配列し、
前記制御手段は、各送風ファン装置による風量を用紙サイズに応じて制御することを特徴とする印刷装置。
【請求項５】
請求項４記載の印刷装置において、
前記制御手段は、用紙サイズが所定サイズよりも大きい場合には供給する送風量を多くし、所定サイズよりも小さい場合には供給する送風量を小さくするように、各送風ファン装置の駆動を制御することを特徴とする印刷装置。
【請求項６】
請求項１乃至５の何れかに記載の印刷装置において、
用紙サイズを検知する用紙サイズ検知手段を有することを特徴とする印刷装置。
【請求項７】
請求項１乃至６の何れかに記載の印刷装置において、
用紙サイズを任意に入力する用紙サイズ設定手段を有することを特徴とする印刷装置。
【発明の詳細な説明】
【技術分野】
【０００１】
本発明は、印刷ドラムと印圧部材の間に形成される印刷領域に送風する印刷装置に関する。
【背景技術】
【０００２】
印刷装置の１つである孔版印刷装置では、内部にインキ供給構成を備えた印刷ドラムとしての版胴の外周面に製版済みのマスタを巻装し、マスタ穿孔部からインキを滲出させ、版胴と印刷部材との間に形成される印刷領域で押圧される用紙にインキ画像を転写している。用紙はインキの粘着力により版胴の表面に付着するため、版胴（印刷領域）よりも用紙排出方向の下流側に先端が尖った剥離爪を設け、版胴表面から印刷画像が転写された用紙を剥離することが行われている。しかし、かかる方式では剥離爪が用紙の画像面に直接接触するため、剥離爪で画像がこすれて汚れるという問題を避けられなかった。
【０００３】
この問題に対処すべく、近年においては版胴と用紙との間に空気を吹き付けて非接触状態で剥離する、いわゆるエアーナイフ方式が採用されている。このエアーナイフ方式は、版胴（印刷領域）よりも用紙排出方向の下流側に、先端が細くなるように形成された空気吹き出し部材と、この空気吹き出し部材に空気流を供給する空気発生源とを備えた送風ファン装置を配置し、空気発生源で発生した空気流を、空気吹き出し部材から印刷領域の用紙と版胴との間に噴射供給して用紙の剥離を行っている。このような剥離爪と送風ファン装置とを備えた印刷装置の一例として特許文献１が挙げられる。
【０００４】
【特許文献１】特開平１１−１８００２３号公報
【発明の開示】
【発明が解決しようとする課題】
【０００５】
従来の送風ファン装置を有する印刷装置においては、用紙サイズに関係なく、最大用紙サイズを基準として送風ファン装置を駆動、停止していたので、省エネという観点においては改善の余地があった。  
特許文献１に示すエアーナイフ方式の印刷装置では、空気吹き出し部材の吹き出し口近傍の空気流の下方に負圧域が発生して用紙が負圧域に吸引される課題を解決しているおり、本願で懸念している課題を解決するためのものではない。  
本発明は、省エネ化を図りながら、用紙を汚すことなく確実に印刷ドラムから剥離可能な印刷装置を提供することを、その目的とする。
【課題を解決するための手段】
【０００６】
上記目的を達成するため、本発明は、印刷ドラムと印圧部材の間に形成される印刷領域で用紙にインキ画像を転写する印刷装置において、印刷領域よりも用紙搬送方向の下流側に配置され、同印刷領域に気流を供給する送風ファン装置と、送風ファン装置の駆動時間を用紙サイズに応じて可変する制御手段とを有することを特長としている。
【０００７】
本発明に係る印刷装置では、送風ファン装置を用紙幅方向に配列し、制御手段で各送風ファン装置の駆動、休止を用紙サイズに応じて制御することを特徴としている。制御手段は、用紙サイズが所定サイズよりも大きい場合には各送風ファン装置を長く駆動し、所定サイズよりも小さい場合には送風ファン装置を短く駆動することを特徴としている。
【０００８】
本発明に係る印刷装置では、送風ファン装置を用紙幅方向に配列し、制御手段で各送風ファン装置による風量を用紙サイズに応じて制御することを特徴としている。制御手段は、用紙サイズが所定サイズよりも大きい場合には供給する送風量を多くし、所定サイズよりも小さい場合には供給する送風量を小さくするように、各送風ファン装置の駆動を制御することを特徴としている。
【発明の効果】
【０００９】
本発明によれば、印刷時に送風ファン装置の動作時間を印刷する用紙サイズに応じて可変するので、従来のように用紙の長さに拘わらず常に電源を投入しているタイプの印刷装置に比べて電力消費を抑えることができる。また、用紙サイズに応じて駆動時間を可変するので、送風ファン装置の稼働時間も短縮でき、騒音の低減と共に耐久性（寿命）を向上することができる。
【００１０】
本発明によれば、送風ファン装置を用紙幅方向に配列し、各送風ファン装置の駆動、休止を用紙サイズに応じて制御するので、従来のように用紙の長さに拘わらず常に電源を投入しているタイプの印刷装置に比べて電力消費を抑えることができる。また、用紙サイズに応じて各送風ファン装置の駆動、休止を制御するので、送風ファン装置の稼働時間も短縮でき、騒音の低減と共に耐久性（寿命）を向上することができる。
【００１１】
本発明によれば、送風ファン装置を用紙幅方向に配列し、各送風ファン装置による風量を用紙サイズに応じて制御するので、従来のように用紙の長さに拘わらず常に電源を投入しているタイプの印刷装置に比べて電力消費を抑えることができる。また、用紙サイズに応じて各送風ファン装置による風量を用紙サイズに応じて制御するので、送風ファン装置の稼働時間も短縮でき、騒音の低減と共に耐久性（寿命）を向上することができる。
【発明を実施するための最良の形態】
【００１２】
以下、本発明の実施の形態について図面を用いて説明する。図１において、印刷装置である孔版印刷装置１００は、図示しない原稿の画像を読み取る周知構成のスキャナである画像読取装置５０と、画像読取装置５０によって読み取られた画像情報又は図示しないパーソナルコンピュータ等の外部接続機器により入力された画像情報に基づいてマスタ８を製版するとともに給版する製版装置５１と、印刷ドラムとしての版胴１とを有している。
【００１３】
孔版印刷装置１００は、版胴１に向けて用紙Ｐを給紙する給紙装置５２と、用紙Ｐを版胴１に押圧する押圧手段５７と、版胴１から用紙Ｐを剥離する用紙剥離装置２５と、用紙剥離装置２５によって版胴１から剥離された用紙Ｐを吸引搬送する排紙搬送装置５３と、排紙搬送装置５３により搬送された用紙Ｐが排出収容される排紙トレイ５４と、版胴１の外周面から使用済みのマスタ８を剥離する排版ユニットとしての排版装置５５と、孔版印刷装置１００の動作全般を制御する図４に示す制御手段２００と、図示しないスタートボタン、テンキー等を備えた操作パネル２１０とを有している。
【００１４】
製版装置５１は、芯材８ｂにロール状に巻成されたマスタ８を、芯材８ｂを介して回転可能に支持した図示しないホルダ部材と、マスタ８の繰り出し方向下流に向けて配設された、図示しない製版部側板に回転自在に支持されたプラテンローラ１０と、無数の発熱素子を有するサーマルヘッド１１と、製版されたマスタ８を所定の長さに切断するカッター１２と、製版部側板に回転自在に支持された反転ローラ対１３と、製版されたマスタ８の先端部を後述するクランパ７に案内する湾曲したガイド板１４とを有している。サーマルヘッド１１は図示しない付勢手段によりプラテンローラ１０に向けて付勢され、これによりマスタ８がプラテンローラ１０に押圧されている。プラテンローラ１０は図示しないステッピングモータにより時計回り方向に回転駆動され、これによりマスタ８がマスタロール８ａから繰り出されるようになっている。
【００１５】
反転ローラ対１３は互いに圧接した状態に設けられている。反転ローラ対１３はプラテンローラ１０の周速より僅かに速い速度に設定されており、マスタ８との間で滑りながらマスタ８に適度な張力を付加するようになっている。
【００１６】
排版装置５５は、版胴１の左側に配置されており、版胴１の外周面に巻き付けられた使用済みのマスタ８を挟持して剥離する周知の構成である。  
画像読取装置５０の上部には原稿を分離搬送する図示しない自動原稿搬送装置としてのＡＤＦが設けられている。画像読取装置５０はＡＤＦにより搬送された原稿を順次自動的に搬送しながら読み取り、またはＡＤＦを用いずに図示しないコンタクトガラス面に載置された原稿を読み取る周知の機能を有している。
【００１７】
版胴１は、多孔性支持円筒体１ａの外周に図示しない樹脂あるいは金属網体のメッシュスクリーンが複数層巻装された構成を有している。版胴１はインキパイプ５を支軸に回転自在に支持された図示しないフランジにその両端を固定され、図示しないギヤ等の駆動伝達手段により、版胴駆動手段としての図示しないブラシレスモータの駆動力を伝達されて時計回り方向に回転駆動される。版胴１はＪＩＳ規格Ａ３サイズの用紙Ｐを縦長に搬送した際に、同用紙Ｐに対して印刷が可能な外周面長を有している。
【００１８】
版胴１の内部には図示しない側板が図１の紙面と垂直な方向であるドラム軸方向に間隔をおいてインキパイプ５に固定されており、これらの側板間にはインキローラ２がその軸部を支持されて回転自在に設けられている。インキローラ２は図示しないギヤやベルト等の駆動伝達手段によりブラシレスモータの駆動力を伝達されて版胴１と同期して同一方向に回転駆動される。
【００１９】
インキローラ２の外周面と僅かに間隔をおいてドクタローラ３が設けられており、ドクタローラ３は、インキローラ２とドクタローラ３との間に形成される楔状のインキ溜まり４のインキをインキローラ２の外周面に薄膜状に供給する。インキ溜まり４のインキは、図示しないインキ供給装置により版胴１の外部に設けられたインキパック等より吸引され、インキパイプ５の供給穴５ａより滴下供給されてインキローラ２とドクタローラ３の回転により混練される。
【００２０】
版胴１の非開孔部表面には、版胴１の一つの母線に沿って、磁性体で形成され平坦面を有するステージ６が設けられている。ステージ６とドラム軸方向に平行にクランパ７が回動可能に支持されており、図示しない開閉装置によりクランパ７が所定位置で開閉される。クランパ７の閉じ動作によって製版装置５１から供給された製版済みのマスタ８の先端部がステージ６との間で挟持される。版胴１は孔版印刷装置本体に対してその軸方向に上記インキパック等と一体のユニットで着脱可能となっている。
【００２１】
押圧手段５７は、版胴１の下側に設けられている。押圧手段５７は、孔版印刷装置１００本体の図示しない側板に回転自在に支持されたアーム軸２２ａと、アーム軸２２ａに一端側を固定されたプレスローラアーム対２２と、プレスローラアーム対２２の他端側に軸部を支持されて回転自在に設けられた印圧部材としてのプレスローラ２３とを有している。
【００２２】
アーム軸２２ａの一端側には図示しないカムフォロアが設けられており、版胴１と同期して回転する図示しないカムに沿って図示しない付勢手段により版胴１に対して接離するようになっている。プレスローラ２３は、印刷時以外は図示しない係止手段により版胴１から離間した実線で示す位置に保持されている。
【００２３】
給紙装置５２は、用紙Ｐを積載収納する昇降自在な給紙トレイ５８と、用紙Ｐを最上のものから順に１枚ずつ分離して給紙する分離給紙手段としての給紙コロ５９、６０及び分離コロ６１と、分離給紙された用紙Ｐを所定のタイミングで版胴１とプレスローラ２３間の印圧部に搬送するレジストローラ対２０と、用紙Ｐが版胴１とプレスローラ２３との間に進入したことを検知する図示しない用紙センサとを有している。
【００２４】
給紙トレイ５８には、図２に示すように、用紙幅方向に位置する一対のサイドフェンス５６０，５６１と、各サイドフェンス５６０，５６１に連結されたプレートラック５６０ａ，５６１ａと、各プレートラック５６０ａ，５６１ａとに噛合して一方のサイドフェンスの移動動作を他方のサイドフェンスに伝達するセンタギヤ５６２と、センタギヤ５６２に連結されたエンコーダータイプの用紙幅センサ５６３と、複数の用紙長さセンサ５６４Ａ,５６４Ｂ,５６４Ｃにより、用紙Ｐの幅と長さの情報を制御手段２００に入力されるようになっている。これら用紙幅センサ５６３と、複数の用紙長さセンサ５６４Ａ,５６４Ｂ,５６４Ｃとより用紙サイズを検知する用紙サイズ検知手段を構成している。本形態では、用紙長さセンサは固定タイプとしたが、パルスモータ等で移動してパルスモータのパルス数から長さを換算するようなタイプを用いても良い。
【００２５】
用紙剥離装置２５は、版胴１とプレスローラ２３との接触領域よりも用紙搬送方向に下流側に配置されている。用紙剥離装置２５は、先端が細くなるように形成された空気吹き出し部材２８と、この空気吹き出し部材２８に空気流を供給する空気発生源としての送風ファン２６とを備えた送風ファン装置２７と、送風ファン装置２７による気流の流路中に配設され、版胴１に近接して用紙Ｐを版胴１の表面より剥離する回動自在な剥離爪６２とを有している。送風ファン装置２７は、図３に示すように、用紙幅方向に３つ配列されている。本形態では、便宜的に第１の送風ファン装置２７Ａ〜第３の送風ファン装置２７Ｃと記す。これら３つの送風ファン装置は、版胴１の開口領域の幅方向全域に送風が行き渡るように配置されている。
【００２６】
排紙搬送装置５３は、反時計回りに回転する搬送ベルト６３と、搬送ベルト６３の下方に配設されたファン６４とを有している。排紙トレイ５４には、送風ファン装置２７による気流及び剥離爪６２によって版胴１から剥離された用紙Ｐが、排紙搬送装置５３の搬送ベルト６３によりファン６４の吸引力で吸着されながら搬送され、排出される。
【００２７】
制御手段２００は、図４に示すように、周知のコンピュータから構成されていて、ＣＰＵ２２１、記憶手段としてのＲＯＭ２２２及びＲＡＭ２２３、図示しないインターフェースとタイマーを備えている。制御手段２００には、版胴１、製版装置５１、給紙装置５２、排版装置５５、排紙搬送装置部５３、画像読取装置５０と送風ファン装置２７の各駆動手段２０１，２０２，２０３，２０４，２０５，２０６，２１２と、操作パネル２１０及び用紙サイズ検知センサ５６３，５６４Ａ〜５６４Ｃが接続されている。
【００２８】
ＲＯＭ２２２には、孔版印刷装置の印刷動作全体を制御するためのプログラムと、用紙サイズ情報と、用紙の所定サイズ情報と、用紙サイズに応じた送風ファン装置２７の駆動手段２１２の駆動、休止を制御するプログラムが記憶されている。駆動手段２１２の駆動、休止を制御するプログラムでは、用紙サイズが所定サイズよりも大きい場合には各送風ファン装置２７Ａ〜２７Ｃを駆動し、所定サイズよりも小さい場合には当該用紙サイズの用紙Ｐと対向する送風ファン装置を駆動するように構成されている。
【００２９】
このような構成の孔版印刷装置の動作について説明する。  
給紙トレイ５８のサイドフェンス５６０，５６１の位置と、用紙長さセンサ５６４Ａ〜５６４Ｃにより給紙トレイ５８に積載されている用紙Ｐの幅及び長さが検知されて用紙サイズ情報として制御手段２００に入力され、ＲＡＭ２２３に記憶される。制御手段２００では、この用紙サイズに応じた各送風ファン装置２７Ａ〜２７Ｃの駆動／休止パターンを選択する。
【００３０】
画像読取装置５０に図示しない原稿がセットされた後に、スタートボタン等が押されてスタート信号が出力されると、版胴駆動手段２０１の駆動によりに版胴１が一回転し、排版装置５５により使用済みのマスタが版胴表面より剥離されて廃棄される。版胴１はクランパ７が略真上位置になるまで回転して停止する。版胴１が停止すると図示しない開閉装置によりクランパ軸が回転されることでクランパが解放され給版待機状態となる。原稿が図示しない原稿読取部に送出されて画像情報が読み取られると、画像情報に応じてサーマルヘッド１１にパルス状に通電され、主走査方向に作動させると共に製版装置駆動手段２０２を構成する図示しないステッピングモータが回転してプラテンローラ１０によりマスタ８を副走査方向に搬送し、マスタ８の感熱フィルムが穿孔され製版が行われる。
【００３１】
マスタガイド板１４によりマスタ８先端がステージ６とクランパ７との間に案内され、図示しないステッピングモータのステップ数よりマスタ８の先端がクランパ７に届いたと判断されると、図示しない開閉装置によりクランパ７が閉じられ、マスタ８の先端を吸着挟持すると共に、版胴１がマスタ搬送速度とほぼ同じ速度で回転を再開し製版されたマスタ８の巻着が行われる。図示しないステッピングモータのステップ数より製版が完了した判断されると、カッター１２が作動してマスタ８が切断されると共に、プラテンローラ１０、搬送ローラ１３が停止し、切断されたマスタ８後端が版胴１により引き出されて版胴１への巻着が完了する。版胴１ヘマスタ８の巻着が完了すると用紙Ｐが給紙トレイ５８から一枚だけ送出され、レジストローラ２０でタイミングを取られて版胴１とプレスローラ２３との間の印刷領域１２３に向けて搬送される。図示しない用紙検出手段により用紙Ｐの進入が検知されることで図示しない係止手段が解除され、図示しないカムの回転に沿ってカムフォロアがカムの凹部に移動することで、プレスローラ２３は図示しない付勢スプリングにより版胴１に用紙Ｐを連続的に押圧して、マスク８にインキを充填する版付けが開始される。この動作と平行して版胴１のクランパ７がプレスローラ２３を通り過ぎた頃に、各送風ファン装置２７Ａ〜２７Ｃが回転を開始し送風が行われる。用紙Ｐは版胴１に近接離間する剥離爪６２と送風ファン２６により版胴１より剥離されて、排紙ベルト６３に吸着搬送されて排紙トレイ５４に排出される。送風ファン２６は図５に示すように、用紙Ｐの後端が版胴１とプレスローラ２３のニップ部となる接触領域１２３近辺で一時的に休止し、前述したクランパ７がプレスローラ２３を通過した頃に回転駆動するように制御される。図５（ａ）は用紙Ｐが例えばＪＩＳ規格Ｂ５サイズのように短い場合の休止位置を示し、図５（ｂ）、図５（ｃ）は、それよりも長い場合の休止位置を示している。図５（ｂ）は用紙Ｐが例えばＪＩＳ規格Ａ４サイズ、図５（ｃ）は用紙Ｐが例えばＪＩＳ規格Ａ３サイズの場合を示す。本形態において所定サイズとは、Ａ４サイズとされている。
【００３２】
すなわち、用紙サイズＡ４を基準となる所定サイズとした場合、給紙トレイ５８の用紙サイズがこの所定サイズよりも大きい例えばＡ３サイズ場合には、各送風ファン装置２７Ａ〜２７Ｃを長く駆動し、所定サイズよりも小さい例えばＢ５サイズの場合には送風ファン装置２７Ａ〜２７Ｃを短く駆動する。このため、従来のように用紙Ｐのサイズに拘わらず常に電源を投入しているタイプに比べて電力消費が抑えることができるとともに、送風ファン装置２７Ａ〜２７Ｃの稼働時間も短縮でき、騒音の低減と共に耐久性（寿命）を向上することができる。
【００３３】
次に、制御手段２００による別な制御形態について説明する。  
図６に示すように、この制御形態は、送風ファン装置２７Ａ〜２７Ｃを用紙幅方向に配列するとともに、各送風ファン装置による風量を用紙サイズに応じて制御する点に特徴がある。具体的には、制御手段２００のＲＯＭ２２２には、用紙サイズ情報と、所定サイズと、用紙サイズが所定サイズよりも大きい場合には供給する送風量を多くし、所定サイズよりも小さい場合には供給する送風量を小さくするように、各送風ファン装置２７Ａ〜２７Ｃの駆動を制御するプログラムが記憶されている。
【００３４】
図６（ａ）は用紙Ｐが例えばＪＩＳ規格Ａ３サイズのように長くて大きい場合の風量と駆動関係を示し、図６（ｂ）は、用紙Ｐが例えばＪＩＳ規格Ａ４サイズの時の風量と駆動関係を示し、図６（ｃ）は、用紙Ｐが例えばＪＩＳ規格Ｂ５サイズの場合の風量と駆動関係を示それぞれ示す。本形態において所定サイズとは、Ａ４サイズとされている。
【００３５】
本形態に対応する最大用紙サイズはＡ３とした場合、版胴１の軸線方向への幅も当然にＡ３サイズの対向する幅とされている。このため、版胴外周面にインキの粘性で用紙が付着した場合、その付着領域は版胴１の開口領域の幅方向全域となる。このため、送風ファン装置としては、幅方向全域に送風が行き渡るように、送風ファン装置２７Ａ〜２７Ｃの全てを駆動することになる。この場合、用紙サイズとしてはＡ３サイズに限定されるものではなく、機器の最大用紙サイズであれば良いので、Ａ４横長で給紙トレイ５８に積載されている用紙Ｐの場合も同様に送風ファン装置２７Ａ〜２７Ｃまでを全て駆動する。
【００３６】
用紙サイズがＢ５縦長の場合には、最も用紙幅方向への長さが短いので、版胴外周面へのインキ粘性による接触は少なくなる。また、本形態において用紙Ｐはセンター基準で搬送されるので、用紙幅が異なっても、版胴１の中央部分は如何なる用紙サイズの場合でも通過することになる。このため、用紙サイズが小さい場合には、用紙幅方向の略中央に位置する送風ファン装置２７Ｂのみを駆動すればよい。
【００３７】
用紙サイズがＡ４縦長の場合には、Ｂ５サイズの場合よりも当然にその幅は大きく、版胴外周面へのインキ粘性による接触領域も多くなる。このため、用紙サイズが中間的なサイズとなるＡ４の場合には、用紙幅方向の略中央に位置する送風ファン装置２７Ｂ殻の送風量を最も多くするとともに、送風ファン装置２７Ａ，２７Ｃからも送風量を確保する。
【００３８】
このような構成によると、用紙サイズＡ４を基準となる所定サイズとした場合、給紙トレイ５８の用紙サイズがこの所定サイズよりも大きい例えばＡ３サイズ場合には、各送風ファン装置２７Ａ〜２７Ｃの分量が大きくなるように駆動され、所定サイズよりも小さい例えばＢ５サイズの場合には送風ファン装置２７Ｂだけを駆動して風量を抑え、所定サイズの場合には、各送風ファン装置２７Ａ〜２７Ｃの内、送風ファン装置２７Ｂに対して送風ファン装置２７Ａ、２７Ｃの送風量を抑え、Ｂ５サイズの場合よりも送風量が多く、Ａ３サイズの場合よりも送風量が小さくなるように駆動する。このため、従来のように用紙Ｐのサイズに拘わらず常に電源を投入しているタイプに比べて電力消費が抑えることができるとともに、送風ファン装置２７Ａ〜２７Ｃの稼働時間も短縮でき、騒音の低減と共に耐久性（寿命）を向上することができる。
【００３９】
上記各形態では、用紙サイズを検知する用紙幅検知センサとして、給紙トレイ５８に設けた用紙幅センサ５６３と複数の用紙長さセンサ５６４Ａ,５６４Ｂ,５６４Ｃを用いたが、操作パネル２１０に用紙サイズを任意に入力する用紙サイズ設定手段２１１を設け、この用紙サイズ設定手段２１１を用いて選択された用紙サイズに応じて送風ファン装置２７Ａ，２７Ｂ，２７Ｃの駆動時間や送風量を制御しても良い。
【図面の簡単な説明】
【００４０】
【図１】本発明の一実施の形態である印刷装置の概略正面図である。
【図２】給紙トレイの概略構成を示す平面視図である。
【図３】送風ファン装置の配置例を示す平面視図である。
【図４】本発明の制御手段と、これによる制御系の構成を示すブロック図である。
【図５】用紙サイズに対応した送風ファン装置の駆動タイミングを示す模式図である。
【図６】送風ファン装置の配置例と送風量の関係を示す模式図である。
【符号の説明】
【００４１】
１    印刷ドラム
２３    印圧部材
２７（Ａ，Ｂ,Ｃ）    送風ファン装置
１２３    印刷領域
２００    制御手段
２１１    用紙サイズ設定手段
５６３，５６４Ａ〜５６４Ｃ    用紙サイズ検知手段
Ｐ    用紙
【図１】
2006198811.tif 000003
【図２】
2006198811.tif 000004
【図３】
2006198811.tif 000005
【図４】
2006198811.tif 000006
【図５】
2006198811.tif 000007
【図６】
2006198811.tif 000008